(57)【要約】【課題】輻輳や交換機の故障等が原因で相手方に接続できなかった場合でも、再発信操作をユーザが行う必要はなく、希望する相手との通話を実現する。【解決手段】発信側端末１から着信側端末２への音声網による接続が不可であった場合に他の通信網経由で再発信するための制御メッセージを、ショートメッセージ処理装置４から発信側端末１に送信する。このようにすれば、輻輳や交換機の故障等が原因で相手方に接続できなかった場合でも、再発信操作をユーザが行う必要はなく、希望する相手との通話を実現できる。【選択図】      図２
2008072313.tif 000002
【特許請求の範囲】
【請求項１】
複数種類の通信網による通信が可能な発信側端末から着信側端末への発信に応答して最適な通信網を選択する最適網選択システムであって、前記発信側端末から前記着信側端末への接続が不可であった場合に他の通信網経由で再発信するための制御メッセージを前記発信側端末に送信する手段を含むことを特徴とする最適網選択システム。
【請求項２】
複数種類の通信網による通信が可能な発信側端末から着信側端末への発信に応答して最適な通信網を選択する最適網選択システムであって、通信網の状況を取得する手段と、取得した状況に基づいて優先網を決定する手段と、決定した優先網を前記発信側端末に通知する手段とを含み、通知された優先網を受取った前記発信側端末において、優先網経由で発信するようにしたことを特徴とする最適網選択システム。
【請求項３】
前記通知された優先網を受取った前記発信側端末においては、強制的に優先網経由で発信することを特徴とする請求項２記載の最適網選択システム。
【請求項４】
前記通知された優先網を受取った前記発信側端末においては、前記着信側端末への接続が不可であった場合に前記優先網経由で再発信するようにしたことを特徴とする請求項２記載の最適網選択システム。
【請求項５】
複数種類の通信網による通信が可能な発信側端末から着信側端末への発信に応答して最適な通信網を選択する最適網選択システムであって、通信網の状況を取得する手段と、取得した状況に基づいて優先網を決定する手段と、決定した優先網を前記発信側端末に通知する手段と、前記発信側端末から前記着信側端末への接続が不可であった場合に他の通信網経由で再発信するための制御メッセージを前記発信側端末に送信する手段とを含み、通知された優先網を受取った前記発信側端末において、優先網経由で再発信するようにしたことを特徴とする最適網選択システム。
【請求項６】
複数種類の通信網による通信が可能な発信側端末から着信側端末への発信に応答して最適な通信網を選択する最適網選択システムであって、通信網の状況を取得する手段と、取得した状況を全ての交換機に通知する手段と、前記発信側端末から前記着信側端末への接続が不可であった場合に、取得した状況に基づいて優先網を決定する手段と、決定した優先網を前記発信側端末に通知する手段とを含み、通知された優先網を受取った前記発信側端末において、優先網経由で再発信するようにしたことを特徴とする最適網選択システム。
【発明の詳細な説明】
【技術分野】
【０００１】
本発明は最適網選択システムに関し、特にネットワークの状況に応じて最適な通信網を選択するシステムに関する。
【背景技術】
【０００２】
現在、ＩＭＴ（International Mobile Telecommunication）２０００に準拠した携帯電話サービスが実用化されている。この携帯電話サービスにおいて、音声網によって相手側に接続しようとする場合、音声交換機が故障したり、輻輳が発生したりすると、接続を行うことができない。その場合には、接続をあきらめるか、別の通信網、例えばパケット通信網を用いた通話のための再発信操作を行う必要がある。
【０００３】
例えば、図１３において、ユーザＡが使用する端末である発信側の移動機（以下、発移動機と称する）１からユーザＢが使用する端末である着信側の移動機（以下、着移動機と称する）２へ音声網による接続を試みる場合を考える。ここで、発移動機１が在圏している通信エリアに対応するパケット交換機１１及び音声交換機１２が大阪エリアに設けられ、着移動機２が在圏している通信エリアに対応するパケット交換機２１及び音声交換機２２が東京エリアに設けられている。なお、パケット交換機１１及び２１、音声交換機１２及び２２は、公衆網ＮＷに接続されている。
【０００４】
このような構成において、音声交換機２２において故障又は輻輳が発生すると、発移動機１から着移動機２へ接続することができない。この場合、パケット通信網を用いた通話のための再発信操作を行い、発移動機１から着移動機２へ接続することになる。
なお、ファクシミリ装置において、通信エラーとなった場合に、自動的に網を切替えて再発呼する技術がある（例えば、特許文献１）。
【特許文献１】特開２００４−１１２５１６号公報
【発明の開示】
【発明が解決しようとする課題】
【０００５】
上述した従来技術においては、音声網を使用した音声通信による呼が輻輳や交換機の故障等が原因で相手方に接続できなかった場合、ユーザが再発信操作を行う必要がある。特許文献１に記載の再発呼技術は、輻輳や交換機の故障が発生した場合、同じ種類の網に発信するため、接続できない可能性が高いという欠点がある。
本発明は上述した従来技術の問題点を解決するためになされたものであり、その目的は輻輳や交換機の故障等が原因で相手方に接続できなかった場合でも、再発信操作をユーザが行う必要はなく、希望する相手との通話を実現できる最適網選択システムを提供することである。
【課題を解決するための手段】
【０００６】
本発明の請求項１による最適網選択システムは、複数種類の通信網による通信が可能な発信側端末から着信側端末への発信に応答して最適な通信網を選択する最適網選択システムであって、前記発信側端末から前記着信側端末への接続が不可であった場合に他の通信網経由で再発信するための制御メッセージを前記発信側端末に送信する手段（図２中のショートメッセージ処理装置に対応）を含むことを特徴とする。後述する第１実施形態に対応し、このような構成によれば、輻輳や交換機の故障等が原因で相手方に接続できなかった場合でも、再発信操作をユーザが行う必要はなく、希望する相手との通話を実現できる。
【０００７】
本発明の請求項２による最適網選択システムは、複数種類の通信網による通信が可能な発信側端末から着信側端末への発信に応答して最適な通信網を選択する最適網選択システムであって、通信網の状況を取得する手段（図５中のネットワークマネージメント装置によるステップＳ２０１に対応）と、取得した状況に基づいて優先網を決定する手段（図５中のネットワークマネージメント装置によるステップＳ２０２に対応）と、決定した優先網を前記発信側端末に通知する手段（図５中のネットワークマネージメント装置によるステップＳ２０３に対応）とを含み、通知された優先網を受取った前記発信側端末において、優先網経由で発信するようにしたことを特徴とする。後述する第２実施形態に対応し、このような構成によれば、輻輳や交換機の故障等が原因で相手方に接続できなかった場合でも、再発信操作をユーザが行う必要はなく、希望する相手との通話を実現できる。
【０００８】
本発明の請求項３による最適網選択システムは、請求項２において、前記通知された優先網を受取った前記発信側端末においては、強制的に優先網経由で発信することを特徴とする。後述する図５中のケース（１）に対応し、この構成によれば、発信された通信網のいかんにかかわらず、強制的に優先網に切替えて発信することができる。
本発明の請求項４による最適網選択システムは、請求項２において、前記通知された優先網を受取った前記発信側端末においては、前記着信側端末への接続が不可であった場合に前記優先網経由で再発信するようにしたことを特徴とする。後述する図５中のケース（２）に対応し、この構成によれば、発信された通信網での接続を許容し、その接続が不可であった場合に、優先網に切替えて発信することができる。
【０００９】
本発明の請求項５による最適網選択システムは、複数種類の通信網による通信が可能な発信側端末から着信側端末への発信に応答して最適な通信網を選択する最適網選択システムであって、通信網の状況を取得する手段（後述する図７中のネットワークマネージメント装置によるステップＳ３０１に対応）と、取得した状況に基づいて優先網を決定する手段（後述する図７中のネットワークマネージメント装置によるステップＳ３０６に対応）と、決定した優先網を前記発信側端末に通知する手段（後述する図７中のネットワークマネージメント装置によるステップＳ３０７に対応）と、前記発信側端末から前記着信側端末への接続が不可であった場合に他の通信網経由で再発信するための制御メッセージを前記発信側端末に送信する手段（後述する図７中のショートメッセージ処理装置に対応）とを含み、通知された優先網を受取った前記発信側端末において、優先網経由で再発信するようにしたことを特徴とする。後述する第３実施形態に対応し、このような構成によれば、輻輳や交換機の故障等が原因で相手方に接続できなかった場合でも、再発信操作をユーザが行う必要はなく、希望する相手との通話を実現できる。
【００１０】
本発明の請求項６による最適網選択システムは、複数種類の通信網による通信が可能な発信側端末から着信側端末への発信に応答して最適な通信網を選択する最適網選択システムであって、通信網の状況を取得する手段（後述する図９中のネットワークマネージメント装置によるステップＳ４０１に対応）と、取得した状況を全ての交換機に通知する手段（後述する図９中のネットワークマネージメント装置によるＳ４０３に対応）と、前記発信側端末から前記着信側端末への接続が不可であった場合に、取得した状況に基づいて優先網を決定する手段（後述する図９中の音声交換機によるステップＳ４０８に対応）と、決定した優先網を前記発信側端末に通知する手段（後述する図９中の音声交換機によるステップＳ４０９に対応）とを含み、通知された優先網を受取った前記発信側端末において、優先網経由で再発信するようにしたことを特徴とする。後述する第４実施形態に対応し、このような構成によれば、輻輳や交換機の故障等が原因で相手方に接続できなかった場合でも、再発信操作をユーザが行う必要はなく、希望する相手との通話を実現できる。
【発明の効果】
【００１１】
本発明によれば、音声網を使用した音声通信による呼が輻輳や交換機の故障等が原因で相手方に接続できなかった場合、パケット通信網を利用した音声通信による接続へ切替える等、ネットワークの状況に応じて最適な網に切替えることにより、再発信操作をユーザが行う必要はなく、希望する相手との通話を実現できるという効果がある。
【発明を実施するための最良の形態】
【００１２】
以下、本発明の実施の形態を、図面を参照して説明する。なお、以下の説明において参照する各図では、他の図と同等部分は同一符号によって示されている。
（第１実施形態）
（システムの構成）
図１は、本発明の第１実施形態による最適網選択システムの構成例を示すブロック図である。同図において、本発明の第１実施形態による最適網選択システムは、ユーザＡが使用する発移動機１と、発移動機１が在圏している通信エリアに対応して設けられているパケット交換機１１と、発移動機１が在圏している通信エリアに対応して設けられている音声交換機１２と、ユーザＢが使用する着移動機２と、着移動機２が在圏している通信エリアに対応して設けられているパケット交換機２１と、着移動機２が在圏している通信エリアに対応して設けられている音声交換機２２と、加入者の現在位置している通信エリアに関する情報である在圏情報などを蓄積している加入者情報蓄積装置３と、ショートメッセージを送信するショートメッセージ処理装置４とを含んで構成されている。
【００１３】
発移動機１及び着移動機２は、音声網による発信、及び、パケット通信網による発信を行うことができる通信端末である。これら移動機は、図示せぬ無線基地局や基地局制御装置によって実現される通信エリアに位置している場合に、音声通信やパケット通信を行うことができる。
なお、パケット交換機１１及び２１、音声交換機１２及び２２、加入者情報蓄積装置３、ショートメッセージ処理装置４は、公衆網ＮＷに接続されている。
【００１４】
（システムの動作例）
図２は、本発明の第１実施形態による最適網選択システムの動作を示すシーケンス図である。同図には、発移動機１、パケット交換機１１、音声交換機１２、着移動機２、パケット交換機２１、音声交換機２２、加入者情報蓄積装置３、ショートメッセージ処理装置４、の相互間での信号授受処理等が示されている。
同図において、事前設定を、発移動機１から加入者情報蓄積装置３に対して行う。最初に、発信できなかった場合に、別の通信網（すなわち別ベアラ）で発信動作させるかどうか設定するためのメッセージを、発移動機１から加入者情報蓄積装置３に向けて送信する（ステップＳ１０１）。ここでは、音声通信網、パケット通信網共に動作させるように設定するためのメッセージを送信する。
【００１５】
このメッセージを受取った加入者情報蓄積装置３は、音声による発信ができなかった場合の動作について、発移動機１の設定情報を、音声交換機１２に通知する（ステップＳ１０２）。通知された設定情報は、加入者プロファイルとして音声交換機１２に保持される。また、加入者情報蓄積装置３は、パケット通信網による発信ができなかった場合の動作について、発移動機１の設定情報を、パケット交換機１１に通知する（ステップＳ１０３）。通知された設定情報は、加入者プロファイルとしてパケット交換機１１に保持される。以上の処理により、音声通信網、パケット通信網のいずれか一方による発信ができなかった場合には、他方による発信を自動的に行うための設定が行われることになる。
【００１６】
以上の事前設定の後、ユーザＡの発移動機１からユーザＢの着移動機２へ音声発信をする（ステップＳ１０４）。その後、発移動機１の表示画面には、音声発信中である旨が表示される（ステップＳ１０５）。音声交換機１２は、着移動機２が現在どの通信エリアに位置しているか、すなわち在圏問合せを加入者情報蓄積装置３に対して行う（ステップＳ１０６）。その後、この問合せによって着移動機２の在圏エリアを取得した音声交換機１２から、着移動機２の在圏エリアに対応する音声交換機２２へ、音声網経由で接続を試みる（ステップＳ１０７）。
【００１７】
ここでは、音声交換機２２において、故障又は輻輳が発生し、音声網経由での接続を行えず、その旨の応答が音声交換機２２から返信されたものとする（ステップＳ１０８）。その応答を受取った音声交換機１２は、ステップＳ１０２において保持された加入者プロファイルにアクセスし、音声発信できなかった場合の動作を確認する（ステップＳ１０９）。動作が設定されていない場合はそのまま処理が終了となる。本例では動作が設定されており、パケット通信網で再発信させるための制御メッセージの送信指示をショートメッセージ処理装置４に送信する（ステップＳ１１０）。
【００１８】
この送信指示を受取ったショートメッセージ処理装置４は、パケット通信網で再発信させるための制御メッセージを、発移動機１に向けて送信する（ステップＳ１１１）。この制御メッセージは、パケット交換機１１を経由して発移動機１に送られる（ステップＳ１１２）。この制御メッセージを受取った発移動機１は、パケット通信網によって再発信を行う（ステップＳ１１３）。その後、発移動機１の表示画面には、パケット通信網による発信中である旨が表示される（ステップＳ１１４）。
パケット通信網による再発信が行われると、パケット交換機１１、パケット交換機２１を経由して、着移動機２に向けて接続処理が行われる（ステップＳ１１５、Ｓ１１６）。以上の処理により、発移動機１から着移動機２への接続処理が完了し（ステップＳ１１７）、以後は両移動機間でパケット通信網経由による通話が行われることになる。
【００１９】
なお、本例では、音声網経由による接続が行えなかった時にパケット通信網経由による再発信を行う場合について説明したが、パケット通信網経由による接続が行えなかった時に音声網経由による再発信を行う場合についても同様に処理が可能であることは明らかである。
以上説明した第１実施形態によれば、輻輳や交換機の故障等が原因で相手方に接続できなかった場合でも、再発信操作をユーザが行う必要はなく、希望する相手との通話を実現できる。
【００２０】
（第１実施形態の変形例）
上述した第１実施形態では、接続を行えなかった場合に、交換機内での判断の結果により制御メッセージを発移動機に送信して自動的に再発信していたが、交換機内で判断せずに発移動機内で判断することにより、制御メッセージの送信処理を省略することができる。この場合の動作シーケンスについて図３を参照して説明する。
【００２１】
同図において、発信できなかった場合に別の通信網で発信動作させるかどうかについて、発移動機１の事前設定を行う（ステップＳ１００）。ここでは、音声通信網、パケット通信網共に動作させるように設定する。この事前設定の後、ユーザＡの発移動機１からユーザＢの着移動機２へ音声発信をする（ステップＳ１０４）。その後、発移動機１の表示画面には、音声発信中である旨が表示される（ステップＳ１０５）。音声交換機１２は、着移動機２が現在どの通信エリアに位置しているか、すなわち在圏問合せを加入者情報蓄積装置３に対して行う（ステップＳ１０６）。その後、この問合せによって着移動機２の在圏エリアを取得した音声交換機１２から、着移動機２の在圏エリアに対応する音声交換機２２へ、音声網経由で接続を試みる（ステップＳ１０７）。
【００２２】
ここでは、音声交換機２２において、故障又は輻輳が発生し、音声網経由での接続を行えず、その旨の応答が音声交換機２２から返信されたものとする（ステップＳ１０８）。音声交換機１２は、その応答を受取ると、それを発移動機１へ送信する（ステップＳ１０８’）。これを受取った発移動機１では、ステップＳ１００において事前設定された内容にアクセスし、音声発信できなかった場合の動作を確認する（ステップＳ１０９’）。動作が設定されていない場合はそのまま処理が終了となる。本例では動作が設定されており、発移動機１は、パケット通信網によって再発信を行う（ステップＳ１１３）。その後、発移動機１の表示画面には、パケット通信網による発信中である旨が表示される（ステップＳ１１４）。以後は、図２を参照して説明した動作と同様であるため、説明を省略する。
【００２３】
なお、本例では、音声網経由による接続が行えなかった時にパケット通信網経由による再発信を行う場合について説明したが、パケット通信網経由による接続が行えなかった時に音声網経由による再発信を行う場合についても同様に処理が可能であることは明らかである。
以上説明した変形例によれば、輻輳や交換機の故障等が原因で相手方に接続できなかった場合でも、再発信操作をユーザが行う必要はなく、希望する相手との通話を実現できる。
【００２４】
（第２実施形態）
（システムの構成）
図４は、本発明の第２実施形態による最適網選択システムの構成例を示すブロック図である。同図において、本発明の第２実施形態による最適網選択システムは、発移動機１と、パケット交換機１１と、音声交換機１２と、ネットワークマネージメント装置５と、着移動機２と、パケット交換機２１と、音声交換機２２と、加入者情報蓄積装置３とを含んで構成されている。
【００２５】
本例では、パケット交換機１１及び音声交換機１２は、例えば大阪エリアに設けられている。また、パケット交換機２１及び音声交換機２２は、例えば東京エリアに設けられている。
ネットワークマネージメント装置５は、パケット交換機、音声交換機から、故障や輻輳などの情報を受信し、受信した情報に基づいてその交換機に対応する通信エリアのネットワーク状況を判断する機能と、その通信エリアに在圏している移動機に対して優先ベアラに関する情報を通知する機能とを有している装置である。このネットワークマネージメント装置５には、後述するＬＡＩ（Local Area Identify）管理テーブル、ＲＡＩ（Routing Area Identify）管理テーブル、地域管理テーブルが保持されている。
その他の装置の機能は、図１を参照して説明した内容と同様である。
【００２６】
（システムの動作例）
図５は、本発明の第２実施形態による最適網選択システムの動作を示すシーケンス図である。同図には、発移動機１、パケット交換機１１、音声交換機１２、ネットワークマネージメント装置５、着移動機２、パケット交換機２１、音声交換機２２、加入者情報蓄積装置３、の相互間での信号授受処理等が示されている。
【００２７】
同図において、発移動機１は、音声網による発信、及び、パケット通信網による発信を行うことができる通信端末である。このため、発移動機１の表示画面には、当初、音声網、パケット通信網の両方が優先ベアラとして表示されている（ステップＳ２００）。
ここで、大阪エリアの音声交換機１２において故障又は輻輳が発生した場合、音声交換機１２は大阪エリアでの音声接続が困難な状態である旨の通知をネットワークマネージメント装置５に送出する（ステップＳ２０１）。この状態通知は、状態の変化が発生したタイミングで送出される。その後は、状態の変更有無を確認する必要性から、通知が周期的に送出される。
【００２８】
この通知を受取ったネットワークマネージメント装置５は、エリア単位のネットワーク状況を判断する（ステップＳ２０２）。本例では、大阪エリアにおいて音声網経由による接続が困難であり、パケット通信網による接続が可能であると判断する。このため、ネットワークマネージメント装置５は、パケット通信網が優先ベアラである旨の通知を送出する（ステップＳ２０３）。この通知は、パケット交換機１１を経由して発移動機１に送られる（ステップＳ２０４）。この通知を受取った発移動機１の表示画面には、パケット通信網が優先ベアラとして表示される（ステップＳ２０５）。
【００２９】
その後の動作は２種類考えられる。まず、ケース（１）について説明する。発移動機１から着移動機２へ音声網による発信を行うと（ステップＳ２０６）、優先ベアラであるパケット通信網に強制的に切替えられて発信される（ステップＳ２０６’）。その後、発移動機１の表示画面には、パケット通信網による発信中である旨が表示される（ステップＳ２０７）。
【００３０】
発移動機１から着移動機２への発信が行われると、発移動機１が在圏している通信エリアに対応するパケット交換機１１は、着移動機２が現在どの通信エリアに位置しているか、すなわち在圏問合せを加入者情報蓄積装置３に対して行う（ステップＳ２０８）。その後、この問合せによって着移動機２の在圏エリアを取得したパケット交換機１１から、着移動機２の在圏エリアに対応するパケット交換機２１へ、パケット通信網経由で接続が行われる（ステップＳ２０９、Ｓ２１０、Ｓ２１１）。
【００３１】
次に、ケース（２）について説明する。発移動機１から着移動機２へ音声網による発信を行うと（ステップＳ２１２）、パケット通信網への切り替えは行われず、そのまま音声網へ発信される。その後、発移動機１の表示画面には、音声発信中である旨が表示される（ステップＳ２１３）。
発移動機１から着移動機２への発信が行われても、本例では発移動機１が在圏している通信エリアに対応する音声交換機１２において故障又は輻輳が発生しており、接続できない。ここでは、その旨の応答が音声交換機１２から返信されたものとする（ステップＳ２１４）。この応答を受取った発移動機１は、自動的にパケット通信網による再発信を行う（ステップＳ２１５）。その後、発移動機１の表示画面には、パケット通信網による発信中である旨が表示される（ステップＳ２１６）。
【００３２】
この再発信が行われると、発移動機１が在圏している通信エリアに対応するパケット交換機１１は、着移動機２が現在どの通信エリアに位置しているか、すなわち在圏問合せを加入者情報蓄積装置３に対して行う（ステップＳ２１７）。その後、この問合せによって着移動機２の在圏エリアを取得したパケット交換機１１から、着移動機２の在圏エリアに対応するパケット交換機２１へ、パケット通信網経由で接続が行われる（ステップＳ２１８、Ｓ２１９、Ｓ２２０）。
【００３３】
なお、本例では、パケット通信網が優先ベアラである場合について説明したが、音声網が優先ベアラである場合についても同様に処理が可能であることは明らかである。
以上説明した第２実施形態によれば、輻輳や交換機の故障等が原因で相手方に接続できなかった場合でも、再発信操作をユーザが行う必要はなく、希望する相手との通話を実現できる。
【００３４】
（第３実施形態）
（システムの構成）
図６は、本発明の第３実施形態による最適網選択システムの構成例を示すブロック図である。同図において、本発明の第３実施形態による最適網選択システムは、発移動機１と、パケット交換機１１と、音声交換機１２と、ネットワークマネージメント装置５と、着移動機２と、パケット交換機２１と、音声交換機２２と、加入者情報蓄積装置３と、ショートメッセージ処理装置４とを含んで構成されている。
【００３５】
本例では、パケット交換機１１及び音声交換機１２は、例えば大阪エリアに設けられている。また、パケット交換機２１及び音声交換機２２は、例えば東京エリアに設けられている。
ネットワークマネージメント装置５は、パケット交換機、音声交換機から、故障や輻輳などの情報を受信し、受信した情報に基づいて全国のネットワーク状況を判断する機能と、移動機からの発信によりパケット交換機、音声交換機からの優先ベアラ問合せに応答し、全国のネットワーク状況から判断して優先ベアラに関する情報を通知する機能とを有している装置である。このネットワークマネージメント装置５には、後述するＬＡＩ管理テーブル、ＲＡＩ管理テーブル、地域管理テーブルが保持されている。
その他の装置の機能は、図１を参照して説明した内容と同様である。
【００３６】
（システムの動作例）
図７は、本発明の第３実施形態による最適網選択システムの動作を示すシーケンス図である。同図には、発移動機１、パケット交換機１１、音声交換機１２、ネットワークマネージメント装置５、着移動機２、パケット交換機２１、音声交換機２２、加入者情報蓄積装置３、ショートメッセージ処理装置４、の相互間での信号授受処理等が示されている。
【００３７】
同図において、東京エリアの音声交換機２２において故障又は輻輳が発生した場合、音声交換機２２は東京エリアでの音声接続が困難な状態である旨の通知をネットワークマネージメント装置５に送出する（ステップＳ３０１）。この状態通知は、状態の変化が発生したタイミングで送出される。その後は、状態の変更有無を確認する必要性から、通知が周期的に送出される。
【００３８】
発移動機１からユーザＢの着移動機２へ音声発信をする（ステップＳ３０２）。その後、発移動機１の表示画面には、音声発信中である旨が表示される（ステップＳ３０３）。音声交換機１２は、着移動機２が現在どの通信エリアに位置しているか、すなわち在圏問合せを加入者情報蓄積装置３に対して行う（ステップＳ３０４）。それと共に音声交換機１２は、ネットワークマネージメント装置５へ、優先ベアラが音声網であるかパケット通信網であるかの問合せを送出する（ステップＳ３０５）。この問合せを受取ったネットワークマネージメント装置５は、エリア単位のネットワーク状況を判断する（ステップＳ３０６）。本例では、ステップＳ３０１の通知をすでに受取っており、東京エリアでの音声接続が困難な状態であると判断できる。一方、パケット通信網による接続が可能であると判断する。このため、ネットワークマネージメント装置５は、パケット通信網が優先ベアラである旨の通知を送出する（ステップＳ３０７）。この通知は、音声交換機１２に送られる。音声交換機１２は、パケット通信網によって再発信させるための制御メッセージの送信指示をショートメッセージ処理装置４に送信する（ステップＳ３０８）。
【００３９】
この送信指示を受取ったショートメッセージ処理装置４は、パケット通信網で再発信させるための制御メッセージを、発移動機１に向けて送信する（ステップＳ３０９）。この制御メッセージは、パケット交換機１１を経由して発移動機１に送られる（ステップＳ３１０）。この制御メッセージを受取った発移動機１は、パケット通信網によって再発信を行う（ステップＳ３１１）。その後、発移動機１の表示画面には、パケット通信網による発信中である旨が表示される（ステップＳ３１２）。
【００４０】
パケット通信網による再発信が行われると、パケット交換機１１は、着移動機２が現在どの通信エリアに位置しているか、すなわち在圏問合せを加入者情報蓄積装置３に対して行う（ステップＳ３１３）。その後、この問合せによって着移動機２の在圏エリアを取得したパケット交換機１１から、着移動機２に向けて接続処理が行われる（ステップＳ３１４、Ｓ３１５）。以上の処理により、発移動機１から着移動機２への接続処理が完了し（ステップＳ３１６）、以後は両移動機間でパケット通信網経由による通話が行われることになる。
【００４１】
なお、本例では、パケット通信網が優先ベアラである場合について説明したが、音声網が優先ベアラである場合についても同様に処理が可能であることは明らかである。
以上説明した第３実施形態によれば、輻輳や交換機の故障等が原因で相手方に接続できなかった場合でも、再発信操作をユーザが行う必要はなく、希望する相手との通話を実現できる。
【００４２】
（第４実施形態）
（システムの構成）
図８は、本発明の第４実施形態による最適網選択システムの構成例を示すブロック図である。同図において、本発明の第４実施形態による最適網選択システムは、発移動機１と、パケット交換機１１と、音声交換機１２と、ネットワークマネージメント装置５と、着移動機２と、パケット交換機２１と、音声交換機２２と、加入者情報蓄積装置３とを含んで構成されている。
【００４３】
本例では、パケット交換機１１及び音声交換機１２は、例えば大阪エリアに設けられている。また、パケット交換機２１及び音声交換機２２は、例えば東京エリアに設けられている。
ネットワークマネージメント装置５は、パケット交換機、音声交換機から、故障や輻輳などの情報を受信し、受信した情報に基づいて全国のネットワーク状況を判断する機能と、全国のパケット交換機、音声交換機に対して、全国のネットワーク状況を通知する機能とを有している装置である。このネットワークマネージメント装置５には、後述するＬＡＩ管理テーブル、ＲＡＩ管理テーブル、地域管理テーブルが保持されている。
その他の装置の機能は、図１を参照して説明した内容と同様である。
【００４４】
（システムの動作例）
図９は、本発明の第４実施形態による最適網選択システムの動作を示すシーケンス図である。同図には、発移動機１、パケット交換機１１、音声交換機１２、ネットワークマネージメント装置５、着移動機２、パケット交換機２１、音声交換機２２、加入者情報蓄積装置３、の相互間での信号授受処理等が示されている。
【００４５】
同図において、東京エリアの音声交換機２２において故障又は輻輳が発生した場合、音声交換機２２は東京エリアでの音声接続が困難な状態である旨の通知をネットワークマネージメント装置５に送出する（ステップＳ４０１）。この状態通知は、状態の変化が発生したタイミングで送出される。その後は、状態の変更有無を確認する必要性から、通知が周期的に送出される。
【００４６】
この通知を受取ったネットワークマネージメント装置５は、エリア単位のネットワーク状況を判断する（ステップＳ４０２）。本例では、東京エリアにおいて音声網経由による接続が困難であり、パケット通信網による接続が可能であると判断する。このため、ネットワークマネージメント装置５は、東京エリアにおいてはパケット通信網が優先ベアラである旨の通知を、全国の音声交換機、パケット交換機、に対して送出する（ステップＳ４０３）。この優先ベアラに関する通知は、状態の変化が発生したタイミングで送出される。その後は、状態の変更有無を確認する必要性から、通知が周期的に送出される。本例では、通信エリア単位のネットワーク状況が、音声交換機１２、２２、パケット交換機１１、２１に加入者プロファイルとして保持される（ステップＳ４０４ａ、Ｓ４０４ｂ、Ｓ４０４ｃ、Ｓ４０４ｄ）。
【００４７】
以上の処理を前提とし、ユーザＡの発移動機１からユーザＢの着移動機２へ音声発信をする（ステップＳ４０５）。その後、発移動機１の表示画面には、音声発信中である旨が表示される（ステップＳ４０６）。音声交換機１２は、着移動機２が現在どの通信エリアに位置しているか、すなわち在圏問合せを加入者情報蓄積装置３に対して行う（ステップＳ４０７）。その応答を受取った音声交換機１２は、ステップＳ４０４において保持された加入者プロファイルにアクセスし、ネットワーク状況を確認する（ステップＳ４０８）。パケット通信網による接続も困難な場合はそのまま処理が終了となる。本例ではパケット通信網による接続が可能になっており、音声交換機１２はパケット通信網が優先ベアラである旨の通知を発移動機１へ送出する（ステップＳ４０９）。この通知を受取った発移動機１は、パケット通信網によって再発信を行う（ステップＳ４１０）。その後、発移動機１の表示画面には、パケット通信網による発信中である旨が表示される（ステップＳ４１１）。
【００４８】
パケット通信網による再発信が行われると、パケット交換機１１は、着移動機２が現在どの通信エリアに位置しているか、すなわち在圏問合せを加入者情報蓄積装置３に対して行う（ステップＳ４１２）。その後、この問合せによって着移動機２の在圏エリアを取得したパケット交換機１１から、着移動機２に向けて接続処理が行われる（ステップＳ４１３、Ｓ４１４）。以上の処理により、発移動機１から着移動機２への接続処理が完了し（ステップＳ４１５）、以後は両移動機間でパケット通信網経由による通話が行われることになる。
【００４９】
なお、本例では、パケット通信網が優先ベアラである場合について説明したが、音声網が優先ベアラである場合についても同様に処理が可能であることは明らかである。
以上説明した第４実施形態によれば、輻輳や交換機の故障等が原因で相手方に接続できなかった場合でも、再発信操作をユーザが行う必要はなく、希望する相手との通話を実現できる。
【００５０】
（ネットワークマネージメント装置内のテーブル）
上述した第２実施形態、第３実施形態、及び、第４実施形態において、ネットワークマネージメント装置５内に保持されているテーブルの構成例について、図１０〜図１２を参照して説明する。まず、音声交換機、パケット交換機が収容している通信エリアについて、識別子を付与して管理する。例えば、音声網の通信エリアを識別するための識別子をＬＡＩ１、ＬＡＩ２…とする。また、パケット通信網の通信エリアを識別するための識別子をＲＡＩ１、ＲＡＩ２…とする。ＬＡＩは、例えば、「移動機国番号」＋「移動事業者識別番号」＋「識別番号」によって構成される。ＲＡＩは、例えば、「ＬＡＩ」＋「識別番号」によって構成される。
【００５１】
図１０に示されているように、大阪エリア、東京エリア、北海道エリア…の通信エリアについて、ＬＡＩ、ＲＡＩが付与されている。そして、ネットワークマネージメント装置５には、ＬＡＩ管理テーブルと、ＲＡＩ管理テーブルとが保持されている。これらのテーブルの各項目については、データの内容がリアルタイムに同期して更新される。
同図の例では、大阪エリアのパケット交換機、音声交換機は、共に正常である。これに対し、東京エリアの音声交換機において輻輳が発生し、北海道エリアのパケット交換機において故障が発生している。
【００５２】
このため、ＬＡＩ管理テーブルについては、東京エリアのＬＡＩ番号「３」及び「４」の項目において、ネットワーク状況が「輻輳中」となり、優先ベアラは「パケット網」による通信になっている。また、ＲＡＩ管理テーブルについては、北海道エリアのＲＡＩ番号「５」及び「６」の項目において、ネットワーク状況が「故障中」となり、優先ベアラは「音声網」による通信になっている。これら以外の項目については、音声網及びパケット通信網のいずれによっても接続可能であることを示す「ＤＵＡＬ」となっている。
【００５３】
さらに、ネットワークマネージメント装置５には、地域管理テーブルが保持されている。ここで、図１１に示されているように、音声交換機については、音声交換機中継階梯、音声交換機関門階梯、音声交換機加入者階梯、の階層構造が存在している。そして、音声交換機加入者階梯の下位に基地局が属している。このため、音声通話による地域間接続（例えば、関西エリアと関東エリアとの接続）を行う場合、必ず中継階梯の音声交換機を経由する。したがって、中継階梯の交換機が故障したり、輻輳が発生したりすれば、その地域からの発信、及び、その地域への着信が接続困難になる。例えば、関西エリアの中継階梯の音声交換機において輻輳が発生すると、関西エリアからの発信、及び、関西エリアへの着信が接続困難になる。なお、同一地域内での音声通話接続を行う場合は、中継階梯の交換機を経由しない。
【００５４】
以上の管理を行うため、地域管理テーブルは、地域番号によってエリアを特定する構成になっている。本例では、北海道エリアが「０１」、東北エリアが「０２」、関東エリアが「０３」、東海エリアが「０４」、北陸エリアが「０５」、関西エリアが「０６」、四国エリアが「０７」、中国エリアが「０８」、九州エリアが「０９」である。これら各エリアについて、図１２に示されているように、発信地域を縦軸、着信地域を横軸、としてテーブルが構成されている。そして、上述したＬＡＩ管理テーブル及びＲＡＩ管理テーブルの内容とリアルタイムに同期して内容を更新する。こうすることによって、ネットワークの状況に応じて優先ベアラを決定する。
【００５５】
本例では、発信地域「０１」で着信地域「０３」の場合、発信地域「０１」で着信地域「０６」の場合、発信地域「０３」で着信地域「０１」の場合、に接続困難になっている。
以上説明したテーブルを用いることにより、ネットワークの状況に応じて最適な通信網を選択することができる。
【産業上の利用可能性】
【００５６】
本発明は、ネットワークの状況に応じて最適な通信網を選択する場合に利用できる。
【図面の簡単な説明】
【００５７】
【図１】本発明の第１実施形態による最適網選択システムの構成例を示すブロック図である。
【図２】本発明の第１実施形態による最適網選択システムの動作を示すシーケンス図である。
【図３】図１及び図２の最適網選択システムを変形したシステムの動作を示すシーケンス図である。
【図４】本発明の第２実施形態による最適網選択システムの構成例を示すブロック図である。
【図５】本発明の第２実施形態による最適網選択システムの動作を示すシーケンス図である。
【図６】本発明の第３実施形態による最適網選択システムの構成例を示すブロック図である。
【図７】本発明の第３実施形態による最適網選択システムの動作を示すシーケンス図である。
【図８】本発明の第４実施形態による最適網選択システムの構成例を示すブロック図である。
【図９】本発明の第４実施形態による最適網選択システムの動作を示すシーケンス図である。
【図１０】ネットワークマネージメント装置に保持されるＬＡＩ管理テーブル、及び、ＲＡＩ管理テーブルの例を示す図である。
【図１１】音声交換機に関する階層構造を示す図である。
【図１２】ネットワークマネージメント装置に保持される地域管理テーブルの例を示す図である。
【図１３】一般的な移動通信網の構成を示す図である。
【符号の説明】
【００５８】
１  発移動機
２  着移動機
３  加入者情報蓄積装置
４  ショートメッセージ処理装置
５  ネットワークマネージメント装置
１１、２１  パケット交換機
１２、２２  音声交換機
【図１】
2008072313.tif 000003
【図２】
2008072313.tif 000004
【図３】
2008072313.tif 000005
【図４】
2008072313.tif 000006
【図５】
2008072313.tif 000007
【図６】
2008072313.tif 000008
【図７】
2008072313.tif 000009
【図８】
2008072313.tif 000010
【図９】
2008072313.tif 000011
【図１０】
2008072313.tif 000012
【図１１】
2008072313.tif 000013
【図１２】
2008072313.tif 000014
【図１３】
2008072313.tif 000015